(57)【要約】【課題】高性能化しやすいズームレンズ。【解決手段】物体側から順に、正の第１群Ｇ１、負の第２群Ｇ２、正の第３群Ｇ３、正の第４群Ｇ４を有し、各群の間隔を変化させて変倍を行うズームレンズであり、広角端から望遠端への変倍に際して、第１群Ｇ１と第２群Ｇ２の間隔は増加し、第２群Ｇ２と第３群Ｇ３の間隔は減少し、第３群Ｇ３と第４群Ｇ４の間隔は減少しながら、第１、第３、第４群は物体側へのみ移動し、第２群Ｇ２は像面側に凸の軌跡を描いて移動し、第２群Ｇ２と第４群が少なくとも１面の非球面を有し、０．１＜｜ｆ2 ／ｆ1 ｜＜０．１４、０．１＜｜ｆ4 ／ｆ3 ｜＜０．６、の条件式を満たす。ｆi は第ｉ群の焦点距離である。【選択図】図１
2008292562.tif 000002
【特許請求の範囲】
【請求項１】
物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、
広角端から望遠端への変倍に際して、第１レンズ群と第２レンズ群の間隔は増加し、第２レンズ群と第３レンズ群の間隔は減少し、第３レンズ群と第４レンズ群の間隔は減少しながら、第１、第３、第４レンズ群は物体側へのみ移動し、第２レンズ群は像面側に凸の軌跡を描いて移動し、第２レンズ群と第４レンズ群が少なくとも１面の非球面を有し、下記の条件式を満たすことを特徴とするズームレンズ。
０．１＜｜ｆ2 ／ｆ1 ｜＜０．１４                              ・・・（１）
０．１＜｜ｆ4 ／ｆ3 ｜＜０．６                                ・・・（２）
ただし、ｆi は第ｉレンズ群の焦点距離、
である。
【請求項２】
物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、
広角端から望遠端への変倍に際して、第１レンズ群と第２レンズ群の間隔は増加し、第２レンズ群と第３レンズ群の間隔は減少し、第３レンズ群と第４レンズ群の間隔は減少しながら、第１、第３、第４レンズ群は物体側へのみ移動し、第２レンズ群は像面側に凸の軌跡を描いて移動し、第２レンズ群と第４レンズ群が少なくとも１面の非球面を有し、第２レンズ群中の少なくとも１枚の負レンズと第４レンズ群中の少なくとも１枚の正レンズが下記の条件式を満たす材質で構成されていることを特徴とするズームレンズ。
ｎd ＞１．４                                                  ・・・（３）
νd ＞８０                                                    ・・・（４）
ただし、ｎd はｄ線の屈折率、
νd はアッべ数、
である。
【請求項３】
物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、
第２レンズ群が負の屈折力を有する前群と負の屈折力を有する後群から構成され、近距離の被写体に対して第２レンズ群が前記前群と前記後群の間隔を変えながら光軸方向に移動することによって合焦することを特徴とするズームレンズ。
【請求項４】
広角端の画角が８０°以上、変倍比が４以上であることを特徴とする請求項１から３の何れか１項記載のズームレンズ。
【請求項５】
第２レンズ群の最も物体側が少なくとも１面が非球面の負レンズ、最も像面側が少なくとも１面が非球面の負レンズで構成されていることを特徴とする請求項１から４の何れか１項記載のズームレンズ。
【発明の詳細な説明】
【技術分野】
【０００１】
本発明は、ズームレンズに関し、特に、一眼レフカメラ用交換レンズ等に用いられる広角から中望遠又は望遠域を含む比較的高変倍比を持つズームレンズに関するものである。
【背景技術】
【０００２】
従来、一眼レフカメラ用交換レンズ等に用いられる広角から中望遠又は望遠に到る焦点距離域をカバーするような３倍以上の高変倍比を持つズームレンズとしては、特許文献１、特許文献２、特許文献３等に示されているような、物体側から順に、正の屈折力を有する第１レンズ群、負の屈折力を有する第２レンズ群、正の屈折力を有する第３レンズ群、正の屈折力を有する第４レンズ群を有するズームレンズが知られている。このような構成をとる理由としては、変倍比を拡大しやすいことや、正群先行の構成による全長の小型化ができること等があげられる。
【特許文献１】特開平１１−１４２７４０号公報
【特許文献２】特開２０００−３２１４９７号公報
【特許文献３】特開２００１−２０８９７０号公報
【発明の開示】
【発明が解決しようとする課題】
【０００３】
一方、近年、デジタル一眼レフカメラの普及に伴い、銀塩３５ｍｍフィルム等に対して小型なイメージサークルの撮像素子を持つカメラに最適化した交換レンズが求められるようになっている。このようなデジタルカメラ用の交換レンズに対しては、従来の銀塩３５ｍｍフィルム用の交換レンズよりも求められる解像力が高く、色収差の許容量も小さくなっている。また、全系の焦点距離に対するバックフォーカスの割合がより大きくなり、一般的によりレトロフォーカスのパワー配置にしなければならなくなっている。
【０００４】
さらに、ズームレンズの仕様としては、より高い変倍比や大口径比化、広角化、最至近撮影距離の短縮等が求められており、それと共に小型化や低コスト化の両立も要求されている。
【０００５】
本発明はこのような状況に鑑みてなされたものであり、その目的は、高性能化しやすいズームレンズを提供することである。
【課題を解決するための手段】
【０００６】
上記目的を達成する本発明のズームレンズの１つ目の構成は、物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、
広角端から望遠端への変倍に際して、第１レンズ群と第２レンズ群の間隔は増加し、第２レンズ群と第３レンズ群の間隔は減少し、第３レンズ群と第４レンズ群の間隔は減少しながら、第１、第３、第４レンズ群は物体側へのみ移動し、第２レンズ群は像面側に凸の軌跡を描いて移動し、第２レンズ群と第４レンズ群が少なくとも１面の非球面を有し、下記の条件式を満たすことを特徴とするものである。
【０００７】
０．１＜｜ｆ2 ／ｆ1 ｜＜０．１４                              ・・・（１）
０．１＜｜ｆ4 ／ｆ3 ｜＜０．６                                ・・・（２）
ただし、ｆi は第ｉレンズ群の焦点距離、
である。
【０００８】
このような構成をとる理由と作用について説明する。
【０００９】
前述のように、デジタルカメラ用のズームレンズにおいては、焦点距離に対する必要なバックフォーカスの割合がより大きくなっているため、所謂レトロフォーカスのパワー配置がより強くなる必要がある。同時に高変倍比化、広角端の広画角化と小型化等の要求とを両立させるためには、各レンズ群のパワーを大きくする必要がある。それによって収差の発生量も同時に大きくなる。例えば、焦点距離範囲に広角域を含むと、特にディストーション、非点収差の補正が難しくなる。第２レンズ群の非球面は主に広角端でのディストーション、非点収差の補正に有効である。また、第４レンズ群の非球面はズーム全域での非点収差、コマ収差の補正に有効である。
【００１０】
条件式（１）は、第１レンズ群のパワーの第２レンズ群のパワーに対する比を規定したもので、（１）式の上限の０．１４を越えて第１レンズ群のパワーが強くなると、必要なバックフォーカスの確保が困難になる。また、入射瞳の第１レンズ群入射面からの距離が大きくなって、広角端の広画角化と前玉径の小型化の両立も困難になる。（１）式の下限の０．１を越えて第１レンズ群のパワーが小さくなると、第２レンズ群の変倍比が小さくなって全系のズーム比の確保が困難になると共に、レンズ全長の短縮が困難になる。
【００１１】
条件式（２）は、第３レンズ群のパワーの第４レンズ群のパワーに対する比を規定したもので、（２）式の上限の０．６を越えて第３レンズ群のパワーが強くなると、必要なバックフォーカスの確保が困難になる。また、（２）式の下限の０．１を越えて第３レンズ群のパワーが小さくなると、第４レンズ群での非点収差やコマ収差の発生量が大きくなりすぎ、また、ズーム時の非点収差の変動も大きくなって望ましくない。
【００１２】
本発明のズームレンズの２つ目の構成は、物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、
広角端から望遠端への変倍に際して、第１レンズ群と第２レンズ群の間隔は増加し、第２レンズ群と第３レンズ群の間隔は減少し、第３レンズ群と第４レンズ群の間隔は減少しながら、第１、第３、第４レンズ群は物体側へのみ移動し、第２レンズ群は像面側に凸の軌跡を描いて移動し、第２レンズ群と第４レンズ群が少なくとも１面の非球面を有し、第２レンズ群中の少なくとも１枚の負レンズと第４レンズ群中の少なくとも１枚の正レンズが下記の条件式を満たす材質で構成されていることを特徴とするものである。
【００１３】
ｎd ＞１．４                                                  ・・・（３）
νd ＞８０                                                    ・・・（４）
ただし、ｎd はｄ線の屈折率、
νd はアッべ数、
である。
【００１４】
このような構成をとる理由と作用について説明する。
【００１５】
前記のように、ズーム広角端の広角化の要求が強まっているが、広角化することによって倍率色収差の補正が難しくなる。特に困難となるのが、ある２つの波長での色消しを行ったときその他の波長で残存するいわゆる２次スペクトルの補正である。この残存色収差の補正は、通常の部分分散比を持つ硝材の組み合わせで補正するのは困難であることが知られており、特に前述のように小型化に伴う各レンズ群のパワーの増加や広角化によって、その補正はさらに難しくなる。条件式（３）、（４）を同時に満たす硝材は低分散でかつ異常分散性を持つため、第２レンズ群中の負レンズ及び第４レンズ群中の正レンズをこのような硝材で構成することにより、各レンズ群で発生する色収差を小さく抑えながら、広角端で発生する倍率色収差の２次スペクトルを補正することができる。
【００１６】
本発明のズームレンズの３つ目の構成は、物体側から順に、正の屈折力を有する第１レンズ群、負の屈折力を有する第２レンズ群、正の屈折力を有する第３レンズ群、正の屈折力を有する第４レンズ群を有し、各レンズ群の間隔を変化させて変倍を行うズームレンズにおいて、
第２レンズ群が負の屈折力を有する前群と負の屈折力を有する後群から構成され、近距離の被写体に対して第２レンズ群が前記前群と前記後群の間隔を変えながら光軸方向に移動することによって合焦することを特徴とするものである。
【００１７】
このような構成をとる理由と作用について説明する。
【００１８】
前述のように、近年のズームレンズに求められる仕様として、最至近撮影距離の短縮があげられる。一般に合焦スピードの高速化や、レンズ径の小型化、最至近撮影距離の短縮等には、レンズ系内部のレンズ群の移動による合焦方式、所謂インナーフォーカス方式がよく用いられている。本発明のような正の屈折力を有する第１レンズ群、負の屈折力を有する第２レンズ群、正の屈折力を有する第３レンズ群、正の屈折力を有する第４レンズ群を有して構成されるズームレンズの場合、第２レンズ群を光軸方向に移動させることによって合焦する方式が知られている。しかし、この場合、近距離への合焦に伴う非点収差等の変動が大きく、近距離性能の悪化と共に最至近撮影距離の短縮にも限界があった。
【００１９】
本発明においては、第２レンズ群を負の屈折力を有する前群と負の屈折力を有する後群から構成し、前群と後群の間隔を変化させながら第２レンズ群全体を光軸方向に移動させて合焦することにより、近距離の被写体に対する合焦に伴う非点収差の変動を小さく抑えることができる。
【００２０】
また、本発明のような構成は、広角端の画角が８０°以上、変倍比が４以上であるようなズームレンズに対してより効果的である。
【００２１】
また、第２レンズ群の最も物体側が少なくても１面が非球面の負レンズ、最も像面側が少なくとも１面が非球面の負レンズで構成すれば、広角端でのディストーションや非点収差、近距離の被写体への合焦に伴う非点収差等の変動をより小さく抑えることができて望ましい。
【００２２】
また、第１レンズ群は、物体側から順に、負レンズと正レンズとの接合正レンズと物体側に凸面を向けた正メニスカスレンズを有することが好ましい。
【００２３】
第１レンズ群の正屈折力の確保を行いつつ、色収差、広角側の軸外収差、望遠側の球面収差の補正を行いやすくなる。
【００２４】
また、第２レンズ群は、両凸正レンズとその両凸正レンズよりも物体側に配置された複数の負レンズとその両凸正レンズより像側に配置された負レンズを有することが好ましい。
【００２５】
第２レンズ群の負屈折力の確保を行いつつ、色収差、広角側の軸外収差、球面収差の補正を行いやすくなる。
【００２６】
さらには、その両凸正レンズが物体側の負レンズと接合され、その負レンズが両凹負レンズであることが好ましい。
【００２７】
色収差の補正に有利になると共に、第２レンズ群中の両凹負レンズ、両凸正レンズの偏心による収差変動を抑えやすくなる。
【００２８】
特にこの両凹負レンズが前述の条件式（３）、（４）を満足することが収差補正上より好ましい。
【００２９】
また、第３レンズ群は正レンズと負レンズを有することが好ましい。
【００３０】
第３レンズ群の色収差の発生を抑えやすくなる。
【００３１】
また、第４レンズ群は、両凸正レンズとその両凸正レンズの物体側に配置された物体側正レンズとその両凸正レンズの像側に配置された接合正レンズを有することが好ましい。
【００３２】
第４レンズ群の屈折力を強くしやすくなり、球面収差、コマ収差、色収差の発生を抑えることに有利となる。
【００３３】
さらには、その接合正レンズが、物体側から順に、負レンズと両凸正レンズを有することが好ましい。
【００３４】
第４レンズ群の色収差の低減と偏心による収差変動の低減に有利となる。
【００３５】
特に、この接合正レンズ中の両凸正レンズが前述の条件式（３）、（４）を満足することが収差補正上より好ましい。
【００３６】
また、前述の第４レンズ群中の物体側正レンズを前述の条件式（３）、（４）を満足する両凸正レンズとすると、収差補正上より好ましい。
【００３７】
もちろん、上述の各発明の構成を複数同時に満足させることで、一層高性能化に有利なズームレンズとなる。
【００３８】
また、条件式（１）、（２）について以下のようにすることがより好ましい。
【００３９】
条件式（１）の下限値を０．１１とすることがより好ましい。
【００４０】
条件式（１）の上限値を０．１３５とすることがより好ましい。
【００４１】
条件式（２）の下限値を０．１３とすることがより好ましい。
【００４２】
条件式（２）の上限値を０．５とすることがより好ましい。  
【００４３】
また、条件式（３）、（４）について、以下のようにすることが好ましい。
【００４４】
１．７＞ｎd ＞１．４                                        ・・・（３）’
１２０＞νd ＞８０                                          ・・・（４）’
それぞれの条件式の上限値を上回ると、収差補正上は好ましいが、材料の作製、入手が困難となる。
【発明の効果】
【００４５】
本発明によると、バックフォーカスが長く、高変倍比、大口径比化、最至近撮影距離の短縮等の高性能化を図った一眼レフカメラ用交換レンズ等に適したズームレンズを得ることができる。
【発明を実施するための最良の形態】
【００４６】
以下、本発明のズームレンズの実施例１〜４について説明する。実施例１〜４の無限遠物点合焦時の広角端（ａ）、中間状態（ｂ）、望遠端（ｃ）のレンズ断面図をそれぞれ図１〜図４に示す。図中、第１レンズ群はＧ１、第２レンズ群はＧ２、開口絞りはＳ、第３レンズ群はＧ３、第４レンズ群はＧ４、電子撮像素子のカバーガラス等の平行平板はＣ、像面はＩで示してある。
【００４７】
実施例１のズームレンズは、図１に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像面側の凸の軌跡を描いて移動し、望遠端では広角端の位置より若干物体側に位置する。開口絞りＳは第２レンズ群Ｇ２との間隔を縮めながら物体側へ移動し、第３レンズ群Ｇ３は開口絞りＳとの間隔を一旦広げ次に縮めながら、かつ、第２レンズ群Ｇ２との間隔を縮めながら物体側へ移動し、第４レンズ群Ｇ４は第３レンズ群Ｇ３との間隔を縮めながら物体側へ移動する。
【００４８】
物体側から順に、第１レンズ群Ｇ１は、物体側に凸面を向けた負メニスカスレンズと物体側に凸面を向けた正メニスカスレンズの接合レンズと、物体側に凸面を向けた正メニスカスレンズとからなり、第２レンズ群Ｇ２は、物体側に凸面を向けた負メニスカスレンズ２枚と、両凹負レンズと両凸正レンズの接合レンズと、像面側に凸面を向けた負メニスカスレンズとからなり、その接合レンズまでが負の屈折力を有する第２レンズ群Ｇ２の前群を、最も像面側の負メニスカスレンズ１枚が第２レンズ群Ｇ２の後群を構成している。第３レンズ群Ｇ３は、両凸正レンズと、像面側に凸面を向けた負メニスカスレンズとからなり、第４レンズ群Ｇ４は、両凸正レンズと像面側に凸面を向けた負メニスカスレンズの接合レンズと、両凸正レンズと、両凹負レンズと、物体側に凸面を向けた負メニスカスレンズと両凸正レンズの接合レンズとからなる。
【００４９】
非球面は、第２レンズ群Ｇ２の物体側から２番目の負メニスカスレンズの両面と、第２レンズ群Ｇ２の最も像面側の負メニスカスレンズの両面と、第４レンズ群Ｇ４の単レンズの両凸正レンズの両面の６面に用いている。
【００５０】
近距離の被写体（物点）に対する合焦は、第２レンズ群Ｇ２の前群と後群の間隔を縮めながら第２レンズ群Ｇ２全体を物体側に移動させることで合焦することができる。
【００５１】
実施例２のズームレンズは、図２に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像面側の凸の軌跡を描いて移動し、望遠端では広角端の位置より若干物体側に位置する。開口絞りＳは第２レンズ群Ｇ２との間隔を縮めながら物体側へ移動し、第３レンズ群Ｇ３は開口絞りＳとの間隔を一旦広げ次に縮めながら、かつ、第２レンズ群Ｇ２との間隔を縮めながら物体側へ移動し、第４レンズ群Ｇ４は第３レンズ群Ｇ３との間隔を縮めながら物体側へ移動する。
【００５２】
物体側から順に、第１レンズ群Ｇ１は、物体側に凸面を向けた負メニスカスレンズと物体側に凸面を向けた正メニスカスレンズの接合レンズと、物体側に凸面を向けた正メニスカスレンズとからなり、第２レンズ群Ｇ２は、物体側に凸面を向けた負メニスカスレンズ２枚と、両凹負レンズと両凸正レンズの接合レンズと、像面側に凸面を向けた負メニスカスレンズとからなり、その接合レンズまでが負の屈折力を有する第２レンズ群Ｇ２の前群を、最も像面側の負メニスカスレンズ１枚が第２レンズ群Ｇ２の後群を構成している。第３レンズ群Ｇ３は、両凸正レンズと、両凸正レンズと両凹負レンズの接合レンズとからなり、第４レンズ群Ｇ４は、両凸正レンズと像面側に凸面を向けた負メニスカスレンズの接合レンズと、両凸正レンズと、両凹負レンズと両凸正レンズの接合レンズとからなる。
【００５３】
非球面は、第２レンズ群Ｇ２の最も物体側の負メニスカスレンズの物体側の面と、第２レンズ群Ｇ２の最も像面側の負メニスカスレンズの両面と、第４レンズ群Ｇ４の単レンズの両凸正レンズの両面の５面に用いている。
【００５４】
近距離の被写体（物点）に対する合焦は、第２レンズ群Ｇ２の前群と後群の間隔を縮めながら第２レンズ群Ｇ２全体を物体側に移動させることで合焦することができる。
【００５５】
実施例３のズームレンズは、図３に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像面側の凸の軌跡を描いて移動し、望遠端では広角端の位置より若干像面側に位置する。開口絞りＳは第２レンズ群Ｇ２との間隔を縮めながら物体側へ移動し、第３レンズ群Ｇ３は開口絞りＳとの間隔を一旦縮め次に若干広げながら、かつ、第２レンズ群Ｇ２との間隔を縮めながら物体側へ移動し、第４レンズ群Ｇ４は第３レンズ群Ｇ３との間隔を縮めながら物体側へ移動する。
【００５６】
物体側から順に、第１レンズ群Ｇ１は、物体側に凸面を向けた負メニスカスレンズと物体側に凸面を向けた正メニスカスレンズの接合レンズと、物体側に凸面を向けた正メニスカスレンズとからなり、第２レンズ群Ｇ２は、物体側に凸面を向けた薄肉の負メニスカスレンズと物体側に凸面を向けた負メニスカスレンズの接合レンズと、像面側に凸面を向けた負メニスカスレンズと、両凸正レンズと、像面側に凸面を向けた負メニスカスレンズとからなり、その両凸正レンズまでが負の屈折力を有する第２レンズ群Ｇ２の前群を、最も像面側の負メニスカスレンズ１枚が第２レンズ群Ｇ２の後群を構成している。第３レンズ群Ｇ３は、両凸正レンズと、両凸正レンズと両凹負レンズの接合レンズとからなり、第４レンズ群Ｇ４は、両凸正レンズと像面側に凸面を向けた負メニスカスレンズの接合レンズと、両凸正レンズと、両凹負レンズと両凸正レンズの接合レンズとからなる。
【００５７】
非球面は、第２レンズ群Ｇ２の接合レンズの最も物体側の面と、第２レンズ群Ｇ２の最も像面側の負メニスカスレンズの両面と、第４レンズ群Ｇ４の単レンズの両凸正レンズの両面の５面に用いている。
【００５８】
近距離の被写体（物点）に対する合焦は、第２レンズ群Ｇ２の前群と後群の間隔を縮めながら第２レンズ群Ｇ２全体を物体側に移動させることで合焦することができる。
【００５９】
実施例４のズームレンズは、図４に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像面側の凸の軌跡を描いて移動し、望遠端では広角端の位置より若干物体側に位置する。開口絞りＳは第２レンズ群Ｇ２との間隔を縮めながら物体側へ移動し、第３レンズ群Ｇ３は開口絞りＳと一体に物体側へ移動し、第４レンズ群Ｇ４は第３レンズ群Ｇ３との間隔を縮めながら物体側へ移動する。
【００６０】
物体側から順に、第１レンズ群Ｇ１は、物体側に凸面を向けた負メニスカスレンズと物体側に凸面を向けた凸平正レンズの接合レンズと、物体側に凸面を向けた正メニスカスレンズとからなり、第２レンズ群Ｇ２は、物体側に凸面を向けた薄肉の負メニスカスレンズと物体側に凸面を向けた負メニスカスレンズの接合レンズと、両凹負レンズと両凸正レンズの接合レンズと、像面側に凸面を向けた負メニスカスレンズとからなり、その両凹負レンズと両凸正レンズの接合レンズまでが負の屈折力を有する第２レンズ群Ｇ２の前群を、最も像面側の負メニスカスレンズ１枚が第２レンズ群Ｇ２の後群を構成している。第３レンズ群Ｇ３は、両凸正レンズと、両凸正レンズと両凹負レンズの接合レンズとからなり、第４レンズ群Ｇ４は、両凸正レンズ２枚と、両凹負レンズと両凸正レンズの接合レンズとからなる。
【００６１】
非球面は、第２レンズ群Ｇ２の物体側の接合レンズの最も物体側の面と、第２レンズ群Ｇ２の最も像面側の負メニスカスレンズの両面と、第４レンズ群Ｇ４の物体側の単レンズである両凸正レンズの両面の５面に用いている。
【００６２】
近距離の被写体（物点）に対する合焦は、第２レンズ群Ｇ２の前群と後群の間隔を縮めながら第２レンズ群Ｇ２全体を物体側に移動させることで合焦することができる。
【００６３】
以下に、上記各実施例の数値データを示すが、記号は上記の外、ｆは全系焦点距離、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。また、ＯＤは像面から測った被写体距離である。なお、非球面形状は、ｘを光の進行方向を正とした光軸とし、ｙを光軸と直交する方向にとると、下記の式にて表される。
【００６４】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。
【００６５】
実施例１
ｒ1 =   109.4949            ｄ1 =  2.5500   ｎd1 =1.84666 νd1 =23.78 
ｒ2 =    65.6064            ｄ2 =  6.5166   ｎd2 =1.56384 νd2 =60.67 
ｒ3 =   250.3611            ｄ3 =  0.2000   
ｒ4 =    56.3041            ｄ4 =  5.2365   ｎd3 =1.77250 νd3 =49.60 
ｒ5 =   129.4446            ｄ5 = （可変）  
ｒ6 =    56.6646            ｄ6 =  2.0000   ｎd4 =1.88300 νd4 =40.76 
ｒ7 =    15.7727            ｄ7 =  2.9353   
ｒ8 =    59.6791（非球面）  ｄ8 =  1.9684   ｎd5 =1.80610 νd5 =40.88 
ｒ9 =    20.8286（非球面）  ｄ9 =  6.1861   
ｒ10=   -31.0694            ｄ10=  1.1413   ｎd6 =1.43875 νd6 =94.93 
ｒ11=    15.7046            ｄ11=  6.7088   ｎd7 =1.61293 νd7 =37.00 
ｒ12=   -29.7268            ｄ12= （可変）  
ｒ13=   -24.5029（非球面）  ｄ13=  1.2783   ｎd8 =1.80610 νd8 =40.88 
ｒ14=   -92.4430（非球面）  ｄ14= （可変）  
ｒ15=     ∞（絞り）        ｄ15= （可変）  
ｒ16=    67.0118            ｄ16=  2.4442   ｎd9 =1.76182 νd9 =26.52 
ｒ17=   -69.5017            ｄ17=  0.9379   
ｒ18=   -27.8030            ｄ18=  1.1994   ｎd10=1.75500 νd10=52.32 
ｒ19=   -81.0550            ｄ19= （可変）  
ｒ20=    35.1459            ｄ20=  6.7687   ｎd11=1.43875 νd11=94.93 
ｒ21=   -17.3775            ｄ21=  1.2000   ｎd12=1.88300 νd12=40.76 
ｒ22=   -30.3574            ｄ22=  0.2000   
ｒ23=    26.3652（非球面）  ｄ23=  7.7834   ｎd13=1.49700 νd13=81.54 
ｒ24=   -24.7855（非球面）  ｄ24=  0.1500   
ｒ25=   -96.4756            ｄ25=  1.2057   ｎd14=1.69680 νd14=55.53 
ｒ26=    31.6869            ｄ26=  0.8737   
ｒ27=    52.5247            ｄ27=  1.3000   ｎd15=1.88300 νd15=40.76 
ｒ28=    19.1738            ｄ28=  7.3100   ｎd16=1.49700 νd16=81.54 
ｒ29=   -32.1161            ｄ29= （可変）  
ｒ30=     ∞                ｄ30=  4.6000   ｎd17=1.51633 νd17=64.14 
ｒ31=     ∞                ｄ31=  1.0603   
ｒ32=     ∞（像面）        
非球面係数
第８面
Ｋ  =  0
Ａ4 =  1.5703 ×10-4
Ａ6 = -6.2535 ×10-7
Ａ8 =  1.8023 ×10-9
Ａ10= -4.7976 ×10-12 
第９面
Ｋ  =  0
Ａ4 =  1.8640 ×10-4
Ａ6 = -3.0654 ×10-7
Ａ8 =  1.6790 ×10-9
Ａ10= -1.1240 ×10-11 
第１３面
Ｋ  =  0
Ａ4 =  6.4830 ×10-5
Ａ6 = -1.4322 ×10-7
Ａ8 =  4.0045 ×10-11 
Ａ10=  0.0000 
第１４面
Ｋ  =  0
Ａ4 =  5.2909 ×10-5
Ａ6 = -1.6207 ×10-7
Ａ8 =  0.0000 
Ａ10=  0.0000 
第２３面
Ｋ  =  0
Ａ4 = -1.5009 ×10-5
Ａ6 =  3.8481 ×10-8
Ａ8 = -1.6118 ×10-10 
Ａ10=  0.0000 
第２４面
Ｋ  =  0
Ａ4 =  2.6325 ×10-5
Ａ6 = -7.9830 ×10-9
Ａ8 = -7.1375 ×10-11 
Ａ10=  0.0000 
ズームデータ（∞）
ＷＥ            ＳＴ            ＴＥ
ｆ (mm)            12.31           24.42           49.14
ＦNO                2.88            3.20            3.57
ｄ5                 0.80000        18.51118        37.33684 
ｄ12                2.69354         2.69354         2.69354 
ｄ14               16.00294         5.07006         2.15164 
ｄ15                1.37426         3.59390         1.70000 
ｄ19               10.99914         4.54263         0.60000 
ｄ29               29.59504        41.08752        55.16241 
（ＯＤ＝250mm ）
ｄ5                 0.58742        17.63032        35.17989 
ｄ12                0.84541         0.84541         0.84541 
ｄ14               18.06366         7.79904         6.15671 
ｄ15                1.37426         3.59390         1.70000 
ｄ19               10.99914         4.54263         0.60000 
ｄ29               29.59504        41.08752        55.16241                 。
【００６６】
実施例２
ｒ1 =   133.9297            ｄ1 =  2.5500   ｎd1 =1.84666 νd1 =23.78 
ｒ2 =    70.8155            ｄ2 =  5.5842   ｎd2 =1.56384 νd2 =60.67 
ｒ3 =   628.1229            ｄ3 =  0.2000   
ｒ4 =    55.7629            ｄ4 =  4.3250   ｎd3 =1.75500 νd3 =52.32 
ｒ5 =   132.6592            ｄ5 = （可変）  
ｒ6 =    83.7872（非球面）  ｄ6 =  1.8000   ｎd4 =1.88300 νd4 =40.76 
ｒ7 =    12.8779            ｄ7 =  5.8688   
ｒ8 =    91.7309            ｄ8 =  1.5925   ｎd5 =1.80610 νd5 =40.88 
ｒ9 =    40.0967            ｄ9 =  3.8406   
ｒ10=   -23.9023            ｄ10=  1.1413   ｎd6 =1.43875 νd6 =94.93 
ｒ11=    29.7208            ｄ11=  4.6330   ｎd7 =1.74000 νd7 =28.30 
ｒ12=   -35.1879            ｄ12= （可変）  
ｒ13=   -22.3039（非球面）  ｄ13=  1.3000   ｎd8 =1.80610 νd8 =40.88 
ｒ14=   -40.3842（非球面）  ｄ14= （可変）  
ｒ15=     ∞（絞り）        ｄ15= （可変）  
ｒ16=    63.8808            ｄ16=  2.2014   ｎd9 =1.74320 νd9 =49.34 
ｒ17=  -114.0569            ｄ17=  0.0000   
ｒ18=    25.8855            ｄ18=  4.2726   ｎd10=1.51742 νd10=52.43 
ｒ19=   -43.9674            ｄ19=  1.1922   ｎd11=1.77250 νd11=49.60 
ｒ20=    32.3633            ｄ20= （可変）  
ｒ21=    26.1059            ｄ21=  5.9106   ｎd12=1.43875 νd12=94.93 
ｒ22=   -20.6230            ｄ22=  1.1678   ｎd13=1.81600 νd13=46.62 
ｒ23=   -37.8449            ｄ23=  0.2000   
ｒ24=    77.1275（非球面）  ｄ24=  9.1919   ｎd14=1.43875 νd14=94.93 
ｒ25=   -27.8225（非球面）  ｄ25=  0.1500   
ｒ26=  -171.1239            ｄ26=  1.2667   ｎd15=1.88300 νd15=40.76 
ｒ27=    21.2550            ｄ27=  5.9748   ｎd16=1.51823 νd16=58.90 
ｒ28=   -39.0618            ｄ28= （可変）  
ｒ29=     ∞                ｄ29=  4.6000   ｎd17=1.51633 νd17=64.14 
ｒ30=     ∞                ｄ30=  1.0600   
ｒ31=     ∞（像面）        
非球面係数
第６面
Ｋ  =  1.7635 
Ａ4 =  1.3806 ×10-5
Ａ6 = -2.6968 ×10-8
Ａ8 = -8.3717 ×10-12 
Ａ10=  1.9486 ×10-13 
Ａ12= -3.5163 ×10-16 
第１３面
Ｋ  =  0
Ａ4 =  1.1284 ×10-5
Ａ6 = -2.7446 ×10-8
Ａ8 =  2.1064 ×10-9
Ａ10= -1.4063 ×10-11 
第１４面
Ｋ  =  0
Ａ4 =  7.3332 ×10-6
Ａ6 = -1.3581 ×10-8
Ａ8 =  9.8131 ×10-10 
Ａ10= -7.0268 ×10-12 
第２４面
Ｋ  =  0
Ａ4 = -1.7023 ×10-5
Ａ6 =  4.2058 ×10-9
Ａ8 =  3.0899 ×10-10 
Ａ10=  0.0000 
第２５面
Ｋ  =  0
Ａ4 =  1.4658 ×10-5
Ａ6 = -1.2664 ×10-8
Ａ8 =  3.4364 ×10-10 
Ａ10=  0.0000 
ズームデータ（∞）
ＷＥ            ＳＴ            ＴＥ
ｆ (mm)            12.36           26.05           58.82
ＦNO                2.88            3.50            4.08
ｄ5                 0.91498        19.02982        40.39278 
ｄ12                4.09389         4.09389         4.09389 
ｄ14               21.63568         4.45715         2.15164 
ｄ15                3.31209         6.81666         1.70000 
ｄ20               10.35886         4.00218         0.60000 
ｄ28               29.23134        43.21124        61.28523 
（ＯＤ＝250mm ）
ｄ5                 0.80288        18.18846        37.81587 
ｄ12                1.38885         1.38885         1.38885 
ｄ14               24.45282         8.00354         7.43359 
ｄ15                3.31209         6.81666         1.70000 
ｄ20               10.35886         4.00218         0.60000 
ｄ28               29.23134        43.21124        61.28523                 。
【００６７】
実施例３
ｒ1 =   149.4865            ｄ1 =  2.5500   ｎd1 =1.84666 νd1 =23.78 
ｒ2 =    72.9114            ｄ2 =  6.3970   ｎd2 =1.56384 νd2 =60.67 
ｒ3 =  6612.0179            ｄ3 =  0.2000   
ｒ4 =    50.4880            ｄ4 =  4.6358   ｎd3 =1.77250 νd3 =49.60 
ｒ5 =   101.1472            ｄ5 = （可変）  
ｒ6 =   231.2367（非球面）  ｄ6 =  0.1500   ｎd4 =1.52288 νd4 =52.50 
ｒ7 =    62.9706            ｄ7 =  1.8000   ｎd5 =1.88300 νd5 =40.76 
ｒ8 =    12.1142            ｄ8 =  9.7070   
ｒ9 =   -20.0260            ｄ9 =  1.5836   ｎd6 =1.71300 νd6 =53.87 
ｒ10=   -82.8026            ｄ10=  0.1132   
ｒ11=    94.2202            ｄ11=  3.6706   ｎd7 =1.84666 νd7 =23.78 
ｒ12=   -32.9015            ｄ12= （可変）  
ｒ13=   -26.1797（非球面）  ｄ13=  1.2879   ｎd8 =1.69680 νd8 =55.53 
ｒ14=   -62.2624（非球面）  ｄ14= （可変）  
ｒ15=     ∞（絞り）        ｄ15= （可変）  
ｒ16=    72.0562            ｄ16=  1.9100   ｎd9 =1.67790 νd9 =55.34 
ｒ17=  -153.1599            ｄ17=  0.1000   
ｒ18=    27.3638            ｄ18=  4.6088   ｎd10=1.51823 νd10=58.90 
ｒ19=   -25.5166            ｄ19=  1.1965   ｎd11=1.69680 νd11=55.53 
ｒ20=    38.1737            ｄ20= （可変）  
ｒ21=    27.4467            ｄ21=  4.9545   ｎd12=1.43875 νd12=94.93 
ｒ22=   -31.9955            ｄ22=  1.1402   ｎd13=1.69680 νd13=55.53 
ｒ23=   -56.9889            ｄ23=  0.2000   
ｒ24=    62.6056（非球面）  ｄ24=  8.3345   ｎd14=1.49700 νd14=81.54 
ｒ25=   -40.5654（非球面）  ｄ25=  0.1500   
ｒ26=  -172.9586            ｄ26=  1.2621   ｎd15=1.88300 νd15=40.76 
ｒ27=    21.3503            ｄ27=  6.4097   ｎd16=1.49700 νd16=81.54 
ｒ28=   -30.7497            ｄ28= （可変）  
ｒ29=     ∞                ｄ29=  4.6000   ｎd17=1.51633 νd17=64.14 
ｒ30=     ∞                ｄ30=  1.0600   
ｒ31=     ∞（像面）        
非球面係数
第６面
Ｋ  = 159.4608
Ａ4 =  4.3367 ×10-5
Ａ6 = -1.4020 ×10-7
Ａ8 =  3.7624 ×10-10 
Ａ10= -6.6989 ×10-13 
Ａ12=  3.8476 ×10-16 
第１３面
Ｋ  =  0
Ａ4 = -2.1382 ×10-5
Ａ6 =  3.8665 ×10-7
Ａ8 = -2.2226 ×10-10 
Ａ10= -1.6238 ×10-11 
第１４面
Ｋ  =  0
Ａ4 = -1.8267 ×10-5
Ａ6 =  2.5498 ×10-7
Ａ8 =  8.8866 ×10-10 
Ａ10= -2.1610 ×10-11 
第２４面
Ｋ  =  0
Ａ4 = -1.1052 ×10-5
Ａ6 =  2.2345 ×10-9
Ａ8 =  2.4337 ×10-10 
Ａ10=  0.0000 
第２５面
Ｋ  =  0
Ａ4 =  1.6900 ×10-5
Ａ6 = -1.0380 ×10-8
Ａ8 =  2.8435 ×10-10 
Ａ10=  0.0000 
ズームデータ（∞）
ＷＥ            ＳＴ            ＴＥ
ｆ (mm)            12.37           26.82           58.74
ＦNO                2.88            3.50            4.08
ｄ5                 0.74536        19.84896        40.78501 
ｄ12                4.08951         4.08951         4.08951 
ｄ14               21.74410        10.75495         2.15164 
ｄ15                5.62433         1.41631         1.70000 
ｄ20                6.74840         2.16306         0.60000 
ｄ28               29.49174        42.81400        58.04971 
（ＯＤ＝250mm ）
ｄ5                 0.75192        18.94355        37.83580 
ｄ12                0.92556         0.92556         0.92556 
ｄ14               24.90149        14.82432         8.26481 
ｄ15                5.62433         1.41631         1.70000 
ｄ20                6.74840         2.16306         0.60000 
ｄ28               29.49174        42.81400        58.04971                 。
【００６８】
実施例４
ｒ1 =   144.2266            ｄ1 =  2.5500   ｎd1 =1.84666 νd1 =23.78 
ｒ2 =    80.6172            ｄ2 =  6.2616   ｎd2 =1.56384 νd2 =60.67 
ｒ3 =     ∞                ｄ3 =  0.1000   
ｒ4 =    52.3050            ｄ4 =  5.2077   ｎd3 =1.60311 νd3 =60.64 
ｒ5 =   116.6412            ｄ5 = （可変）  
ｒ6 =   113.5593（非球面）  ｄ6 =  0.0880   ｎd4 =1.51940 νd4 =51.94 
ｒ7 =    56.8420            ｄ7 =  1.5000   ｎd5 =1.88300 νd5 =40.76 
ｒ8 =    12.0420            ｄ8 =  8.7845   
ｒ9 =   -23.6760            ｄ9 =  1.2000   ｎd6 =1.49700 νd6 =81.54 
ｒ10=    18.7895            ｄ10=  6.6093   ｎd7 =1.64769 νd7 =33.79 
ｒ11=   -29.8761            ｄ11= （可変）  
ｒ12=   -23.7859（非球面）  ｄ12=  1.3635   ｎd8 =1.69300 νd8 =53.14 
ｒ13=   -60.9085（非球面）  ｄ13= （可変）  
ｒ14=     ∞（絞り）        ｄ14=  1.7000   
ｒ15=    50.0908            ｄ15=  2.2951   ｎd9 =1.58913 νd9 =61.14 
ｒ16=  -140.7841            ｄ16=  0.1500   
ｒ17=    22.8280            ｄ17=  4.6397   ｎd10=1.54814 νd10=45.79 
ｒ18=   -44.0128            ｄ18=  1.0008   ｎd11=1.80400 νd11=46.57 
ｒ19=    27.3163            ｄ19= （可変）  
ｒ20=    24.8862（非球面）  ｄ20=  6.5073   ｎd12=1.49650 νd12=81.53 
ｒ21=   -50.5293（非球面）  ｄ21=  0.1500   
ｒ22=   135.3961            ｄ22=  3.7881   ｎd13=1.43875 νd13=94.93 
ｒ23=   -44.8085            ｄ23=  0.1500   
ｒ24=  -180.8473            ｄ24=  1.2340   ｎd14=1.88300 νd14=40.76 
ｒ25=    19.4304            ｄ25= 11.2743   ｎd15=1.49700 νd15=81.54 
ｒ26=   -27.2992            ｄ26= （可変）  
ｒ27=     ∞                ｄ27=  4.6000   ｎd16=1.51633 νd16=64.14 
ｒ28=     ∞                ｄ28=  1.0586   
ｒ29=     ∞（像面）        
第６面
Ｋ  = 34.8871 
Ａ4 =  3.0812 ×10-5
Ａ6 = -9.6291 ×10-8
Ａ8 =  1.8012 ×10-10 
Ａ10= -2.2992 ×10-13 
Ａ12= -1.4937 ×10-16 
第１２面
Ｋ  =  0.0251 
Ａ4 = -3.4769 ×10-5
Ａ6 =  6.1141 ×10-7
Ａ8 = -3.8025 ×10-9
Ａ10=  1.0400 ×10-11 
第１３面
Ｋ  = -18.7766
Ａ4 = -4.3652 ×10-5
Ａ6 =  5.5882 ×10-7
Ａ8 = -3.6933 ×10-9
Ａ10=  9.8343 ×10-12 
第２０面
Ｋ  =  0
Ａ4 = -1.2143 ×10-5
Ａ6 = -7.3098 ×10-9
Ａ8 =  2.7747 ×10-10 
Ａ10= -3.6706 ×10-12 
第２１面
Ｋ  =  0
Ａ4 =  2.0138 ×10-5
Ａ6 = -3.6119 ×10-8
Ａ8 =  3.7265 ×10-10 
Ａ10= -3.9715 ×10-12 
ズームデータ（∞）
ＷＥ            ＳＴ            ＴＥ
ｆ (mm)            12.33           26.62           58.81
ＦNO                2.88            3.50            4.08
ｄ5                 0.84223        20.86435        43.41045 
ｄ11                3.18840         3.18840         3.18840 
ｄ13               24.08524         9.77242         2.15164 
ｄ19                8.09555         3.06658         0.80000 
ｄ26               29.58052        43.73719        60.80026 
（ＯＤ＝250mm ）
ｄ5                 0.59917        19.79172        40.54294 
ｄ11                0.77704         0.77704         0.77704 
ｄ13               26.74520        13.25433         7.42963 
ｄ19                8.09555         3.06658         0.80000 
ｄ26               29.58052        43.73719        60.80026                 。
【００６９】
以上の実施例１の無限遠物点合焦時の収差図を図５に、像面から測った被写体距離２５ｃｍに合焦時の収差図を図６に示す。実施例２の同様の収差図を図７、図８に、実施例３の同様の収差図を図９、図１０に、実施例４の同様の収差図を図１１、図１２にそれぞれ示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。各図中の球面収差（ＳＡ）の縦軸の１．０００は最大開口を示し、他の収差における“ＦＩＹ”は像高（ｍｍ）を示す。
【００７０】
次に、上記各実施例における条件式（１）〜（２）に関する値を示す。
【００７１】
条件式      ｆ2 ／ｆ1   ｆ4 ／ｆ3                                               実施例１     -0.114       0.145 
実施例２     -0.121       0.416 
実施例３     -0.131       0.345 
実施例４     -0.119       0.301                                           。
【００７２】
図１３は、本発明のズームレンズを用い、撮像素子として小型のＣＣＤ又はＣＭＯＳ等を用いた電子撮像装置としての一眼レフレックスカメラの断面図である。図１３において、１は一眼レフレックスカメラ（一眼レフカメラ）、２はズーム機構と合焦機構を備えた鏡筒内に配置された撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
【００７３】
また、４は撮像素子面、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。
【００７４】
このような構成の一眼レフレックスカメラ１の撮影レンズ系２として、例えば上記実施例１〜４に示した本発明のズームレンズが用いられる。
【００７５】
以上の本発明によれば、一眼レフタイプのデジタルカメラに適した交換レンズとして、バックフォーカスが長く、高変倍比、大口径比化、最至近撮影距離の短縮等の高性能化を図ったズームレンズを実現することができる。
【図面の簡単な説明】
【００７６】
【図１】本発明のズームレンズの実施例１の広角端（ａ）、中間状態（ｂ）、望遠端（ｃ）のレンズ断面図である。
【図２】本発明のズームレンズの実施例２の図１と同様の図である。
【図３】本発明のズームレンズの実施例３の図１と同様の図である。
【図４】本発明のズームレンズの実施例３の図１と同様の図である。
【図５】実施例１の無限遠物点合焦時の収差図である。
【図６】実施例１の被写体距離２５ｃｍに合焦時の収差図である。
【図７】実施例２の無限遠物点合焦時の収差図である。
【図８】実施例２の被写体距離２５ｃｍに合焦時の収差図である。
【図９】実施例３の無限遠物点合焦時の収差図である。
【図１０】実施例３の被写体距離２５ｃｍに合焦時の収差図である。
【図１１】実施例４の無限遠物点合焦時の収差図である。
【図１２】実施例４の被写体距離２５ｃｍに合焦時の収差図である。
【図１３】本発明のズームレンズを交換レンズとして用いた一眼レフレックスカメラの断面図である。
【符号の説明】
【００７７】
Ｇ１…第１レンズ群
Ｇ２…第２レンズ群
Ｇ３…第３レンズ群
Ｇ４…第４レンズ群
Ｓ…開口絞り
Ｃ…平行平板
Ｉ…像面
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー
【図１】
2008292562.tif 000003
【図２】
2008292562.tif 000004
【図３】
2008292562.tif 000005
【図４】
2008292562.tif 000006
【図５】
2008292562.tif 000007
【図６】
2008292562.tif 000008
【図７】
2008292562.tif 000009
【図８】
2008292562.tif 000010
【図９】
2008292562.tif 000011
【図１０】
2008292562.tif 000012
【図１１】
2008292562.tif 000013
【図１２】
2008292562.tif 000014
【図１３】
2008292562.tif 000015